(57)【特許請求の範囲】
【請求項１】
光源から出射された光束を測定光と参照光に分割し、測定光束を被検眼眼底に導き，参照光を参照光学系に導いた後、被検眼眼底から反射された測定光と参照光との干渉状態を検出器により検出する干渉光学系と、
を備え、前記検出器からの出力信号に基づいて被検眼眼底の断層画像を撮像する眼底撮影装置であって、
被検眼眼底に対する合焦位置を検出するためのフォーカス検出手段と、前記測定光の光路中に配置された第１光学部材を駆動させる第１駆動手段とを備え、前記フォーカス検出手段によって検出された合焦位置に前記第１光学部材を移動させるフォーカス調整手段と、
測定光と参照光との光路長差を調整するために測定光又は参照光の光路中に配置された第２光学部材を駆動させる第２駆動手段を有し、前記検出器から出力される出力信号に基づいて被検眼断層像が取得される位置に前記第２光学部材を移動させる光路長調整手段と、
前記フォーカス検出手段によって被検眼眼底に対する合焦位置を検出し、検出された合焦位置に前記第１光学部材を移動させる前記フォーカス調整手段の作動中において、
前記検出器によって測定光と参照光との干渉状態を検出し、前記検出器から出力される出力信号に基づいて被検眼断層像が取得される位置に前記第２光学部材を移動させる前記光路長調整手段の作動を並行して行うことを特徴とする眼底撮影装置。
【請求項２】
請求項１の眼底撮影装置において、
前記フォーカス検出手段は、被検眼眼底に照明光を照射する照射光学系と、眼底反射光を受光素子により受光する受光光学系と、前記受光光学系に配置された第３光学部材を駆動させる第３駆動手段と、を有し、前記受光素子からの出力信号に基づいて被検眼眼底の正面眼底画像を得る眼底観察光学系を兼用し、前記第３駆動手段の駆動を制御して前記第３光学部材を移動させ、前記第３光学部材の各位置にて取得された正面眼底画像に基づいて被検眼眼底に対する前記合焦位置を検出することを特徴とする眼底撮影装置。
【請求項３】
光源から出射された光束を測定光と参照光に分割し、測定光束を被検眼眼底に導き，参照光を参照光学系に導いた後、被検眼眼底から反射された測定光と参照光との干渉状態を検出器により検出する干渉光学系と、
を備え、前記検出器からの出力信号に基づいて被検眼眼底の断層画像を撮像する眼底撮影装置であって、
被検眼眼底に対する合焦位置を検出するためのフォーカス検出手段と、前記測定光の光路中に配置された第１光学部材を駆動させる第１駆動手段とを備え、前記フォーカス検出手段によって検出された合焦位置に前記第１光学部材を移動させるフォーカス調整手段と、
測定光と参照光との光路長差を調整するために測定光又は参照光の光路中に配置された第２光学部材を駆動させる第２駆動手段を有し、前記フォーカス検出手段の作動と並行して、前記検出器から出力される出力信号に基づいて被検眼断層像が取得される位置に前記第２光学部材を移動させる光路長調整手段と、
を備え、
前記光路長調整手段は、前記フォーカス検出手段の作動と並行して、前記検出器から出力される出力信号に基づいて被検眼断層像が取得される位置に前記第２光学部材を移動させ、前記フォーカス調整手段によって前記第１光学部材が前記合焦位置に移動された後、前記検出器から出力される出力信号に基づいて前記第２光学部材の位置を再調整することを特徴とする眼底撮影装置。
【請求項４】
光源から出射された光束を測定光と参照光に分割し、測定光束を被検眼眼底に導き，参照光を参照光学系に導いた後、被検眼眼底から反射された測定光と参照光との干渉状態を検出器により検出する干渉光学系と、
を備え、前記検出器からの出力信号に基づいて被検眼眼底の断層画像を撮像する眼底撮影装置であって、
被検眼眼底に対する合焦位置を検出するためのフォーカス検出手段と、前記測定光の光路中に配置された第１光学部材を駆動させる第１駆動手段と、を備え、前記フォーカス検出手段によって検出された合焦位置に前記第１光学部材を移動させるフォーカス調整手段と、
測定光と参照光との光路長差を調整するために測定光又は参照光の光路中に配置された第２光学部材を駆動させる第２駆動手段を有し、前記フォーカス検出手段の作動と並行して、前記検出器から出力される出力信号に基づいて被検眼断層像が取得される位置に前記第２光学部材を移動させる第１光路長調整手段と、
前記フォーカス調整手段によるフォーカス調整と、前記第１光路長調整手段による光路長調整と、の双方の調整が完了したことを検出する検出手段と、
前記検出手段によって、フォーカス調整及び光路長調整の双方の調整が完了したことを検出した場合に、前記検出器から出力される出力信号に基づいて前記第２光学部材の位置を再調整する第２光路長調整手段と、
を備えることを特徴とする眼底撮影装置。
【発明の詳細な説明】
【技術分野】
【０００１】
本発明は、被検者眼眼底の断層像を撮影する眼底撮影装置に関する。
【背景技術】
【０００２】
被検者眼の眼底の断層像を撮影する光断層像撮影装置として、低コヒーレント光を用いた光断層干渉計（Optical Coherence Tomography:OCT）が知られている（特許文献１参照）。
【０００３】
このような装置において、検者は、ＳＬＯ光学系もしくは眼底カメラ光学系によって取得される眼底正面画像のフォーカス状態を利用して、眼底断層画像のフォーカス合わせを行っている。また、フォーカス調整後に、光路長調整と偏光状態の調整（ポラライザの調整）を行い、測定の最適化を行っていた。
【先行技術文献】
【特許文献】
【０００４】
【特許文献１】特開２００９−２９１２５２号公報
【発明の概要】
【発明が解決しようとする課題】
【０００５】
しかしながら、従来、最適化において、光路長調整を行うためには、フォーカス調整が完了するまで、待つ必要があり、多くの時間を費やしていた。そして、最適化の制御を行う時間が長いため、検者がストレスを感じることがあった。また、被検者にとって負担であった。
【０００６】
本発明は、上記問題点を鑑み、撮影条件を好適に調整し、眼底断層像を取得する眼底撮影装置を提供することを技術課題とする。
【課題を解決するための手段】
【０００７】
上記課題を解決するために、本発明は以下のような構成を備えることを特徴とする。
【０００８】
（１）  本開示の第１態様に係る眼底撮影装置は、光源から出射された光束を測定光と参照光に分割し、測定光束を被検眼眼底に導き，参照光を参照光学系に導いた後、被検眼眼底から反射された測定光と参照光との干渉状態を検出器により検出する干渉光学系と、を備え、前記検出器からの出力信号に基づいて被検眼眼底の断層画像を撮像する眼底撮影装置であって、被検眼眼底に対する合焦位置を検出するためのフォーカス検出手段と、前記測定光の光路中に配置された第１光学部材を駆動させる第１駆動手段とを備え、前記フォーカス検出手段によって検出された合焦位置に前記第１光学部材を移動させるフォーカス調整手段と、測定光と参照光との光路長差を調整するために測定光又は参照光の光路中に配置された第２光学部材を駆動させる第２駆動手段を有し、前記検出器から出力される出力信号に基づいて被検眼断層像が取得される位置に前記第２光学部材を移動させる光路長調整手段と、前記フォーカス検出手段によって被検眼眼底に対する合焦位置を検出し、検出された合焦位置に前記第１光学部材を移動させる前記フォーカス調整手段の作動中において、前記検出器によって測定光と参照光との干渉状態を検出し、前記検出器から出力される出力信号に基づいて被検眼断層像が取得される位置に前記第２光学部材を移動させる前記光路長調整手段の作動を並行して行うことを特徴とする。
（２）  本開示の第２態様に係る眼底撮影装置は、光源から出射された光束を測定光と参照光に分割し、測定光束を被検眼眼底に導き，参照光を参照光学系に導いた後、被検眼眼底から反射された測定光と参照光との干渉状態を検出器により検出する干渉光学系と、を備え、前記検出器からの出力信号に基づいて被検眼眼底の断層画像を撮像する眼底撮影装置であって、被検眼眼底に対する合焦位置を検出するためのフォーカス検出手段と、前記測定光の光路中に配置された第１光学部材を駆動させる第１駆動手段とを備え、前記フォーカス検出手段によって検出された合焦位置に前記第１光学部材を移動させるフォーカス調整手段と、測定光と参照光との光路長差を調整するために測定光又は参照光の光路中に配置された第２光学部材を駆動させる第２駆動手段を有し、前記フォーカス検出手段の作動と並行して、前記検出器から出力される出力信号に基づいて被検眼断層像が取得される位置に前記第２光学部材を移動させる光路長調整手段と、を備え、前記光路長調整手段は、前記フォーカス検出手段の作動と並行して、前記検出器から出力される出力信号に基づいて被検眼断層像が取得される位置に前記第２光学部材を移動させ、前記フォーカス調整手段によって前記第１光学部材が前記合焦位置に移動された後、前記検出器から出力される出力信号に基づいて前記第２光学部材の位置を再調整することを特徴とする。
（３）  本開示の第３態様に係る眼底撮影装置は、光源から出射された光束を測定光と参照光に分割し、測定光束を被検眼眼底に導き，参照光を参照光学系に導いた後、被検眼眼底から反射された測定光と参照光との干渉状態を検出器により検出する干渉光学系と、を備え、前記検出器からの出力信号に基づいて被検眼眼底の断層画像を撮像する眼底撮影装置であって、被検眼眼底に対する合焦位置を検出するためのフォーカス検出手段と、前記測定光の光路中に配置された第１光学部材を駆動させる第１駆動手段と、を備え、前記フォーカス検出手段によって検出された合焦位置に前記第１光学部材を移動させるフォーカス調整手段と、測定光と参照光との光路長差を調整するために測定光又は参照光の光路中に配置された第２光学部材を駆動させる第２駆動手段を有し、前記フォーカス検出手段の作動と並行して、前記検出器から出力される出力信号に基づいて被検眼断層像が取得される位置に前記第２光学部材を移動させる第１光路長調整手段と、前記フォーカス調整手段によるフォーカス調整と、前記第１光路長調整手段による光路長調整と、の双方の調整が完了したことを検出する検出手段と、前記検出手段によって、フォーカス調整及び光路長調整の双方の調整が完了したことを検出した場合に、前記検出器から出力される出力信号に基づいて前記第２光学部材の位置を再調整する第２光路長調整手段と、を備えることを特徴とする。
【発明の効果】
【０００９】
本発明によれば、撮影条件が好適に調整され、眼底断層像を取得できる。
【発明を実施するための最良の形態】
【００１０】
以下、本発明に係る実施形態を図面に基づいて説明する。図１〜図１２は本実施形態に係る眼底撮影装置の構成について説明する図である。なお、本実施形態においては、被検者眼（眼Ｅ）の軸方向をＺ方向、水平方向をＸ方向、鉛直方向をＹ方向として説明する。眼底の表面方向をＸＹ方向として考えても良い。
【００１１】
＜概要＞
本発明の実施形態に係る眼底撮影装置の概要について説明する。本実施形態に関わる眼底撮影装置（光コヒーレンストモグラフィーデバイス）１は、干渉光学系（ＯＣＴ光学系）２００、観察光学系３００、制御部（ＣＰＵ）７０、を備える。
【００１２】
ＯＣＴ光学系２００は、光スキャナ（走査部）２３を備え、光源２７から出射された光束を測定光と参照光に分割し、測定光束を被検眼眼底に導き，参照光を参照光学系２００ｂに導いた後、被検眼眼底から反射された測定光と参照光との干渉状態を検出器８３により検出する。そして、制御部７０は、検出器８３からの出力信号に基づいて、被検眼眼底の断層画像を撮像する。走査部２３は、測定光の光路中に配置され、測定光を被検眼上で走査させる。
【００１３】
例えば、ＯＣＴ光学系２００は、測定光と参照光との干渉状態として、被検眼眼底から反射された測定光と参照光とが合成された光のスペクトル情報を検出器８３により検出する。そして、検出器８３によって検出されたスペクトル情報をフーリエ解析することにより被検眼眼底の断層画像を撮像する。
【００１４】
観察光学系３００は、被検眼眼底に照明光を照射する照射光学系と、眼底反射光を受光素子により受光する受光光学系と、を有し、受光素子からの出力信号に基づいて被検眼眼底の正面眼底画像を得る。例えば、ＳＬＯ（スキャニングレーザオフサルモスコープ）や眼底カメラが挙げられる。
【００１５】
例えば、観察光学系３００に（スキャニングレーザオフサルモスコープ（ＳＬＯ）光学系）を用いる場合、ＳＬＯ光学系は、被検眼眼底に照明光を照射する照射光学系と、眼底反射光を受光素子６８により受光する受光光学系と、受光光学系に配置された第３光学部材（例えば、フォーカシングレンズ６３）を駆動させる第３駆動手段（例えば、駆動機構６３ａ）と、を有する。そして、受光素子６８からの出力信号に基づいて被検眼眼底の正面眼底画像が取得される。
【００１６】
また、本装置は、フォーカス検出手段（フォーカス検出部）と、フォーカス調整手段（フォーカス調整部）と、光路長調整手段（光路長調整部）と、を備える。
【００１７】
フォーカス検出部は、被検眼眼底からの反射光を含む光を受光する受光素子を有し受光素子からの出力信号に基づいて被検眼眼底に対する合焦位置を検出する。
【００１８】
例えば、フォーカス検出部は観察光学系３００と兼用され、フォーカス検出部の動作の制御は、制御部７０によって行われる。この場合、制御部７０は、駆動機構６３ａの駆動を制御してフォーカシングレンズ６３を移動させ、フォーカシングレンズ６３の各位置にて取得された正面眼底画像に基づいて被検眼眼底に対する合焦位置を検出する。
【００１９】
フォーカス調整部は、被検者眼底に対する視度を補正するために測定光の光路中に配置された第１光学部材（例えば、フォーカシングレンズ２４）を駆動させる第１駆動手段（例えば、駆動機構２４ａ）を備える。例えば、フォーカス調整部の動作の制御は、制御部７０によって行われる。この場合、制御部７０は、フォーカス検出部によって検出された合焦位置にフォーカシングレンズ２４を移動させる。
【００２０】
光路長調整部は、測定光と参照光との光路長差を調整するために測定光又は前記参照光の光路中に配置された第２光学部材（例えば、参照光の光路に配置される参照ミラー３１）を駆動させる第２駆動手段（例えば、駆動機構５０）を有する。なお、測定光の光路長と参照光の光路長との光路長差を変更するための構成としては、測定光の光路中に配置された第２光学部材を移動させることにより、測定光の光路長を変化させて参照光との光路長を調整するような構成としてもよい。例えば、図１の光学系において、参照ミラー３１を固定とし、リレーレンズ２４とファイバー端部３９ｂとを一体的に移動させることにより参照光の光路長に対して測定光の光路長を変化させるような構成が考えられる。  例えば、光路長調整部の動作の制御は、制御部７０によって行われる。この場合、制御部７０は、フォーカス検出部の作動と並行して、検出器８３から出力される出力信号に基づいて被検眼断層像が取得される位置に参照ミラー３１を移動させる。そして、制御部７０は、フォーカス調整部によってフォーカシングレンズ２４が合焦位置に移動された後、検出器８３から出力される出力信号に基づいて参照ミラー３１の位置を再調整する。
【００２１】
例えば、フォーカス検出部の作動と並行して参照ミラー３１の移動を行う制御としては、フォーカス検出部の作動と同時に、検出器８３から出力される出力信号に基づいて被検眼断層像が取得される位置に参照ミラー３１を移動させることが挙げられる。
【００２２】
被検眼断層像が取得される位置への参照ミラー３１の移動について、例えば、制御部７０は、駆動機構（駆動機構）５０の駆動を制御して参照ミラー３１を移動させ、参照ミラー３１の各位置にて検出器８３から出力される出力信号に基づいて行う。
【００２３】
例えば、参照ミラー３１の再調整について、例えば、制御部７０は、フォーカス調整部によってフォーカシングレンズ２４が合焦位置に移動された後、所定の画像領域で取得された眼底断層画像が実像か虚像かを判定し、その判定結果に応じて行う。。
【００２４】
例えば、被検眼断層像が取得される位置への参照ミラー３１の移動について、例えば、制御部７０は、検出器８３から出力される出力信号の信号強度に基づいて、断層画像中に眼底断層像が含まれるように、光路長をラフに調整する。また、参照ミラー３１の再調整について、例えば、制御部７０は、検出器８３から出力される出力信号に基づいて深さ方向における眼底断層像の位置情報を取得し、取得された位置情報に基づいて、眼底断層像が所定の深さ位置にて取得されるように、光路長をシビアに調整する。  本装置は、さらに、偏光調整手段（偏光調整部）を備える。偏光調整部は、偏光素子（例えば、ポラライザ３３）と、偏光素子駆動手段（例えば、駆動機構３４）を有する。
【００２５】
例えば、偏光調整部の動作の制御は、制御部７０によって行われる。この場合、制御部７０は、測定光の光路又は参照光の光路に配置されるポラライザ３３を駆動させることにより、測定光と参照光の偏光状態を略一致させる。そして、制御部７０は、参照ミラー３３の位置が再調整された後に検出器８３から出力される出力信号に基づき、ポラライザ３３を駆動させ、偏光状態の調整を行う。
【００２６】
なお、本実施形態において、さらに、制御部７０は、最適化の調整（例えば、光路長調整、フォーカス調整、偏光調整）が成功したか否かを判定するようにしてもよい。この場合、制御部７０は、断層画像の輝度情報に基づいて、最適化の調整が成功したか否かを判定する。そして、制御部７０は、判定結果に基づいて最適化の調整を停止させる構成が挙げられる。
【００２７】
なお、制御部７０は、フォーカス調整部によって参照ミラー３１が合焦位置に移動された後、断層画像中における眼底断層像の有無を判定するようにしてもよい。この場合、制御部７０は、眼底断層像が無しと判定された場合、参照ミラー３１の駆動を制御して参照ミラー３１を再度移動させる。そして、制御部７０は、参照ミラー３１の各位置にて検出器８３から出力される出力信号に基づいて，被検眼断層像が取得される位置に参照ミラー３１を移動させる。
【００２８】
＜実施例＞
本実施例を図面に基づいて説明する。図１は、本実施例の眼科撮影装置の光学系及び制御系を示す図である。
【００２９】
本装置は、光コヒーレンストモグラフィーデバイス（ＯＣＴデバイス）１である。図１において、ＯＣＴデバイス１は、干渉光学系（ＯＣＴ光学系）２００と、観察光学系（スキャニングレーザオフサルモスコープ（ＳＬＯ）光学系）３００、制御部（ＣＰＵ）７０と、を備える。
【００３０】
ＯＣＴ光学系２００は、測定光学系２００ａと参照光学系２００ｂを含む。また、ＯＣＴ光学系２００は、参照光と測定光による干渉光を周波数（波長）毎に分光し、分光された干渉光を受光手段（本実施形態においては、１次元受光素子）に受光させる分光光学系８００を有する。
【００３１】
ダイクロイックミラー４０は、ＯＣＴ光学系２００に用いられる測定光源２７から発せられる測定光（例えば、λ＝８４０ｎｍ付近）を反射し、ＳＬＯ光学系３００に用いられるＳＬＯ光源６１から発せられるレーザ光（ＯＣＴ光源２７とは異なる波長の光、例えば、λ＝７８０ｎｍ付近）を透過する特性を有する。この場合、ダイクロイックミラー４０は、ＯＣＴ光学系２００の測定光軸Ｌ１とＳＬＯ光学系３００の測定光軸Ｌ２とを同軸にする。
【００３２】
まず、ダイクロイックミラー４０の反射側に設けられたＯＣＴ光学系２００の構成について説明する。ＯＣＴ光源２７はＯＣＴ光学系２００の測定光及び参照光として用いられる低コヒーレントな光を発するＯＣＴ光源であり、例えばＳＬＤ光源等が用いられる。ＯＣＴ光源２７には、例えば、中心波長８４０ｎｍで５０ｎｍの帯域を持つ光源が用いられる。２６は光分割部材と光結合部材としての役割を兼用するファイバーカップラー（スプリッタ）である。ＯＣＴ光源２７から発せられた光は、導光路としての光ファイバ３８ａを介して、ファイバーカップラー２６によって参照光と測定光とに分割される。測定光は光ファイバ３８ｂを介して被検眼Ｅへと向かい、参照光は光ファイバ３８ｃ（ポラライザ（偏光素子）３３）を介して参照ミラー３１へと向かう。
【００３３】
測定光を被検眼Ｅへ向けて出射する光路には、測定光を出射する光ファイバ３８ｂの端部３９ｂ、コリメータレンズ２１、フォーカス用光学部材（フォーカシングレンズ）２４、走査部（光スキャナ）２３と、反射ミラー２５、リレーレンズ２２が配置されている。走査部２３は、２つのガルバノミラーによって構成され、走査駆動機構５１の駆動により、測定光源から発せられた光を眼底（被検物）上で二次元的（ＸＹ方向）に走査させるために用いられる。なお、走査部２３は、例えば、ＡＯＭ（音響光学素子）やレゾナントスキャナ等によって構成されていてもよい。
【００３４】
ダイクロイックミラー４０及び対物レンズ１０は、ＯＣＴ光学系２００からのＯＣＴ測定光を被検眼眼底へと導光する導光光学系としての役割を有する。
【００３５】
フォーカシングレンズ２４は、駆動機構２４ａの駆動によって、光軸方向に移動可能となっており、被検者眼底に対する視度を補正するために用いられる。
【００３６】
光ファイバ３８ｂの端部３９ｂから出射した測定光は、コリメータレンズ２１によってコリメートされた後、フォーカシングレンズ２４を介して、走査部２３に達し、２つのガルバノミラーの駆動により反射方向が変えられる。そして、走査部２３で反射された測定光は、反射ミラー２５で反射される。その後、測定光は、リレーレンズ２２を介して、ダイクロイックミラー４０で反射された後、対物レンズ１０を介して、被検眼眼底に集光される。
【００３７】
そして、眼底で反射した測定光は、対物レンズ１０を介して、ダイクロイックミラー４０で反射し、ＯＣＴ光学系２００に向かい、リレーレンズ２２、反射ミラー２５、走査部２３の２つのガルバノミラー、フォーカシングレンズ２４及びコリメータレンズ２１を介して、光ファイバ３８ｂの端部３９ｂに入射する。端部３９ｂに入射した測定光は、光ファイバ３８ｂ、ファイバーカップラー２６、光ファイバ３８ｄを介して、光ファイバ３８ｄの端部８４ａに達する。
【００３８】
一方、参照光を参照ミラー３１に向けて出射する光路には、光ファイバ３８ｃ、参照光を出射する光ファイバ３８ｃの端部３９ｃ、コリメータレンズ２９、参照ミラー３１が配置されている。光ファイバ３８ｃは、参照光の偏光方向を変化させるため、駆動機構３４により回転移動される。すなわち、光ファイバ３８ｃ及び駆動機構３４は、偏光方向を調整するためのポラライザ３３として用いられる。
【００３９】
なお、本実施形態のポラライザ３３は、測定光と参照光の偏光方向を一致させるために、測定光と参照光の少なくともいずれかの偏光方向を調整する。ポラライザ３３は、測定光路又は参照光路の少なくともいずれかに配置される。ポラライザ３３としては、上記構成に限定されず、例えば、光軸を中心に１／２波長板又は１／４波長板の回転角を調整することによって光の偏光方向を変える構成、ファイバーに圧力を加えて変形させることによって光の偏光方向を変える構成、などが考えられる。
【００４０】
また、参照ミラー駆動機構５０は、参照光との光路長を調整するために参照光路中に配置された参照ミラー３１を駆動させる。参照ミラー３１は、本実施形態においては、参照光路中に配置され、参照光路長を変化させるべく、光軸方向に移動可能な構成となっている。
【００４１】
光ファイバー３８ｃの端部３９ｃから出射した参照光は、コリメータレンズ２９で平行光束とされ、参照ミラー３１で反射された後、コリメータレンズ２９により集光されて光ファイバ３８ｃの端部３９ｃに入射する。端部３９ｃに入射した参照光は、光ファイバ３８ｃ、光ファイバ３８ｃ（ポラライザ３３）を介して、ファイバーカップラー２６に達する。
【００４２】
そして、光源２７から発せられた光によって前述のように生成される参照光と被検眼眼底に照射された測定光による眼底反射光は、ファイバーカップラー２６にて合成され干渉光とされた後、光ファイバ３８ｄを通じて端部８４ａから出射される。周波数毎の干渉信号を得るために干渉光を周波数成分に分光する分光光学系８００（スペクトロメータ部）は、コリメータレンズ８０、グレーティングミラー（回折格子）８１、集光レンズ８２、受光素子８３を有する。受光素子８３は、赤外域に感度を有する一次元素子（ラインセンサ）を用いている。
【００４３】
ここで、端部８４ａから出射された干渉光は、コリメータレンズ８０にて平行光とされた後、グレーティングミラー８１にて周波数成分に分光される。そして、周波数成分に分光された干渉光は、集光レンズ８２を介して、検出器（受光素子）８３の受光面に集光する。これにより、受光素子８３上で干渉縞のスペクトル情報が記録される。そして、受光素子８３からの出力信号に基づいて眼の断層画像を撮像する。すなわち、そのスペクトル情報が制御部７０へと入力され、フーリエ変換を用いて解析することで、被験者眼の深さ方向における情報が計測可能となる。ここで、制御部７０は、走査部２３により測定光を眼底上で所定の横断方向に走査することにより断層像を取得できる。例えば、Ｘ方向もしくはＹ方向に走査することにより、被検眼眼底のＸＺ面もしくはＹＺ面における断層像（眼底断層像）を取得できる（なお、本実施形態においては、このように測定光を眼底に対して一次元走査し、断層像を得る方式をＢスキャンとする）。なお、取得された眼底断層像は、制御部７０に接続されたメモリ７２に記憶される。さらに、走査部２３の駆動を制御して、測定光をＸＹ方向に二次元的に走査することにより、受光素子８３からの出力信号に基づき被検者眼眼底のＸＹ方向に関する二次元動画像や被検眼眼底の三次元画像を取得することも可能である。
【００４４】
参照ミラー３１は、駆動機構５０の駆動によって光軸方向に移動され、被検眼毎の眼軸長の違いに対応できるよう、その移動可能範囲が設定されている。図１において、参照ミラー３１は、参照光の光路長が短くなる方向における移動限界位置Ｋ１から参照光の光路長が長くなる方向における移動限界位置Ｋ２までの範囲を移動可能である。
【００４５】
自動光路長調整（第１自動光路長調整（詳しくは後述する））を開始する前の参照ミラー３１の初期位置（移動開始位置）は、移動限界位置Ｋ１又は移動限界位置Ｋ２に設定される。もちろん、初期化開始以前の途中位置を初期位置としてもよい。また、初期位置を任意に変更できる設定としてもよい。
【００４６】
フォーカシングレンズ２４は、駆動機構２４ａの駆動によって光軸方向に移動され、その移動可能範囲が設定されている。フォーカシングレンズ２４は、第１移動限界位置（例えば、屈折力が−１２Ｄに対応する位置、すなわち、−１２Ｄの屈折力でフォーカスが合う位置）から第２移動限界位置（例えば、屈折力が＋１２Ｄに対応する位置）までの範囲を移動可能である。
【００４７】
フォーカシングレンズ２４の初期位置は、被検眼の平均的な眼屈折力に対応する位置（例えば、０Ｄに対応する位置）としている。もちろん、初期位置に移動させる以前の位置を初期位置としてもよい。また、初期位置を任意に変更できる設定としてもよい。第１移動限界位置、第２移動限界位置のいずれかが初期位置であってもよい。
【００４８】
光ファイバ３８ｃは、駆動機構３４の駆動によって回転移動され、その移動可能範囲が設定されている。光ファイバ３８ｃは、第１移動限界位置（例えば、０°）から第２移動限界位置（例えば、１８０°）までの回転移動可能である。
【００４９】
光ファイバ３８ｃは、第１移動限界位置から第２移動限界位置までの間の途中位置に位置されており、第２自動光路長調整完了後までは移動されない。そのため、ポラライザ３３においては、途中位置が初期位置となる。
【００５０】
次に、ダイクロイックミラー４０の透過方向に配置されたＳＬＯ光学系（共焦点光学系）３００について説明する。ＳＬＯ光学系３００は、被検眼眼底の正面画像を取得するための観察光学系として用いられる。ＳＬＯ光学系３００は、被検眼眼底を照明する照明光学系と、該照明光学系によって照明された被検眼反射光を受光素子により受光する受光光学系とに大別され、受光素子から出力される受光信号に基づいて被検眼眼底の正面画像を得る。
【００５１】
ＳＬＯ光源６１は、高コヒーレントな光を発する光源であり、例えば、λ＝７８０ｎｍのレーザダイオード光源が用いられる。ＳＬＯ光源６１から発せられるレーザ光を被検眼Ｅに向けて出射する光路には、被検眼の屈折誤差に合わせて光軸方向に移動可能なフォーカシングレンズ６３、走査駆動機構５２の駆動により眼底上でＸＹ方向に測定光を高速で走査させることが可能なガルバノミラーとポリゴンミラーとの組み合せからなる走査部６４、リレーレンズ６５、対物レンズ１０が配置されている。また、走査部６４のガルバノミラー及びポリゴンミラーの反射面は、被検眼瞳孔と略共役な位置に配置される。
【００５２】
また、ＳＬＯ光源６１とフォーカシングレンズ６３との間には、ビームスプリッタ６２が配置されている。そして、ビームスプリッタ６２の反射方向には、共焦点光学系を構成するための集光レンズ６６と、眼底に共役な位置に置かれる共焦点開口６７と、ＳＬＯ用受光素子６８とが設けられている。
【００５３】
ここで、ＳＬＯ光源６１から発せられたレーザ光（測定光）は、ビームスプリッタ６２を透過した後、フォーカシングレンズ６３を介して、走査部６４に達し、ガルバノミラー及びポリゴンミラーの駆動により反射方向が変えられる。そして、走査部６４で反射されたレーザ光は、リレーレンズ６５を介して、ダイクロイックミラー４０を透過した後、対物レンズ１０を介して、被検眼眼底に集光される。
【００５４】
そして、眼底で反射したレーザ光は、対物レンズ１０、リレーレンズ６５、走査部６４のガルバノミラー及びポリゴンミラー、フォーカシングレンズ６３を経て、ビームスプリッタ６２にて反射される。その後、集光レンズ６６にて集光された後、共焦点開口６７を介して、受光素子６８によって検出される。そして、受光素子６８にて検出された受光信号は制御部７０へと入力される。制御部７０は受光素子６８にて得られた受光信号に基づいて被検眼眼底の正面画像を取得する。取得された正面画像はメモリ７２に記憶される。なお、ＳＬＯ画像の取得は、走査部６４に設けられたガルバノミラーによるレーザ光の縦方向の走査（副走査）とポリゴンミラーによるレーザ光の横方向の走査（主走査）によって行われる。
【００５５】
制御部７０は、表示モニタ７５に接続され、その表示画像を制御する。また、制御部７０には、メモリ７２、操作部７４、参照ミラー駆動機構５０、フォーカシングレンズ６３を光軸方向に移動させるための駆動機構６３ａ、フォーカシングレンズ２４を光軸方向に移動させるための駆動機構２４ａ、駆動機構３４、等が接続されている。
【００５６】
図２はＯＣＴ光学系２００によって取得（形成）される断層画像の一例を示す図である。断層画像の画像データＧは、光路長一致位置より奥側に対応する第１の画像データＧ１と、光路長一致位置より手前側に対応する第２画像データＧ２からなり、測定光と参照光の光路長が一致する深度位置Ｓに関して互いに対称な画像となっている。
【００５７】
なお、上記構成において、測定光と参照光との光路長が一致する深度位置が網膜表面より前側に形成されるように参照ミラー３１が配置されると、脈絡膜側部分よりも網膜表面側の感度が高い眼底断層像（正像）が取得される。この場合、第１の画像データＧ１と第２画像データＧ２における眼底断層像は、向かい合った状態となる。この場合、第１の画像データＧ１において実像が取得され、第２画像データＧ２において虚像（ミラーイメージ）が取得される。
【００５８】
一方、測定光と参照光との光路長が一致する深度位置が網膜表面より奥側に形成されるように参照ミラー３１が配置されると、網膜表面側よりも脈絡膜側部分の感度が高い眼底断層像（逆像）が取得される。この場合、第１の画像データＧ１と第２画像データＧ２における眼底断層像は、互いに反対方向を向いた状態にある。この場合、第２の画像データＧ２において実像が取得され、第１の画像データＧ１において虚像（ミラーイメージ）が取得される。
【００５９】
制御部７０は、例えば、断層画像の画像データＧのうち、第１の画像データＧ１もしくは第２画像データＧ２のいずれかの画像データを抽出し、モニタ７５の画面上に表示する。なお、本実施形態では、第１の画像データＧ１を抽出する設定となっている。
【００６０】
本実施形態において、制御部７０は、受光素子８３から出力されるスペクトルデータに対しソフトウェアによる分散補正処理を施す。そして、分散補正後のスペクトルデータに基づいて深さプロファイルを得る。このため、実像と虚像との間で画質において差異が生じる。
【００６１】
例えば、実像に対する分散の影響を補正するための分散補正値として第１の分散補正値（正像用）をメモリ７２から取得し、受光素子８３から出力されるスペクトルデータを第１の分散補正値を用いて補正し、補正されたスペクトル強度データをフーリエ変換して断層画像データを形成する。これにより、第１の画像データＧ１において実像が取得されたとき、その実像は、高感度・高解像度の画像にて取得され、第１の画像データＧ１において虚像が取得されたとき、その虚像は、分散補正値の違いにより低解像度のぼやけた像となる。
【００６２】
もちろん、これに限定されず、虚像に対するソフトウェアの分散補正が行われても良い。また、第２の画像データＧ２を抽出する設定であってもよいし、もちろん第１の画像データＧ１と第２の画像データＧ２の両方を抽出する設定であってもよい。また、所定のスイッチにより任意に設定されてもよい。
【００６３】
＜制御動作＞
以上のような構成を備える装置において、その制御動作について説明する。ここで、制御部７０は、ＯＣＴ光学系２００及びＳＬＯ光学系３００を駆動制御してＯＣＴ画像及びＳＬＯ画像の各画像を１フレーム毎に取得していき、モニタ７５を表示制御してモニタ７５に表示されるＯＣＴ画像及びＳＬＯ画像を随時更新する。なお、検者の設定によらない最初のＯＣＴ画像の取得位置として、ＳＬＯ画像の中心位置を基準とした走査位置（例えば、Ｘ方向）が設定されている。
【００６４】
図３は、本装置における動作の流れを示すフローチャートである。検者は、図示無き固視標投影ユニットの固視標を注視するように被検者に指示した後、図示無き前眼部観察用カメラで撮影される前眼部観察像をモニタ７５で見ながら、被検眼の瞳孔中心に測定光軸がくるように、図示無きジョイスティックを用いて、アライメント操作を行う。このようにして被検眼に対するアライメントが完了されると、ＳＬＯ光学系３００による被検眼眼底の正面画像（ＳＬＯ眼底像）が取得されるようになり、モニタ７５上にＳＬＯ眼底像が現れる。
【００６５】
次いで、撮影条件の最適化を行うことによって、ＯＣＴ光学系２００によって、検者が所望する眼底部位が高感度・高解像度で観察できるようにする。なお、本実施形態において、ＯＣＴ光学系２００の最適化の制御は、光路長調整、フォーカス調整、偏光状態の調整（ポラライザ調整）、の制御である。
【００６６】
検者は、コントロール部７４に配置された最適化開始スイッチ（Ｏｐｔｉｍｉｚｅスイッチ）７４ａを押す。最適化開始スイッチ７４ａから操作信号が発せられると、制御部７０は、最適化制御を開始するためのトリガ信号を発し、最適化を開始する。
【００６７】
最適化の完了後、検者により、図示無き撮影スイッチが押されると、眼底断層像が撮影され、メモリ７５に記憶される。
【００６８】
＜最適化制御＞
図４は、本実施例に係る最適化制御について説明する図である。概して、制御部７０は、初期化の制御として、参照ミラー３１とフォーカシングレンズ２４の位置を初期位置に設定する。初期化完了後、制御部７０は、設定した初期位置から参照ミラー３１を一方向に所定ステップで移動させ、第１光路長調整を行う（第１自動光路長調整）。また、第１光路長調整と並行するように、制御部７０は、受光素子６８から出力される受光信号によって取得されるＳＬＯ眼底像に基づいて被検眼眼底に対する合焦位置情報を取得する。合焦位置情報が取得されると、制御部７０は、フォーカスシングレンズ２４を合焦位置に移動させ、オートフォーカス調整（フォーカス調整）を行う。なお、合焦位置とは、観察画像として許容できる断層画像のコントラストを取得できる位置であればよく、必ずしも、フォーカス状態の最適位置である必要はない。
【００６９】
そして、フォーカス調整完了後、制御部７０は、再度、参照ミラー３１を光軸方向に移動させ、光路長の再調整（光路長の微調整）をする第２光路長調整を行う。第２光路長調整完了後、制御部７０は、参照光の偏光状態を調節するためのポラライザ３３を駆動させ、測定光の偏光状態を調整する。
【００７０】
以下に、最適化制御の一例について詳細に説明する。
【００７１】
＜評価値＞
本実施例において、第１自動光路長調整、ポラライザ調整は、断層画像の信号強度を検出することによって行われる。以下の説明では、信号強度を示す指標として所定の評価値Ｂが用いられる。
【００７２】
評価値Ｂは、Ｂ＝（（画像の平均最大輝度値）−（画像の背景領域の平均輝度値））／（背景領域の輝度値の標準偏差）の式より求められる。制御部７０は、受光素子８３からの出力信号に基づいて取得される断層画像の輝度分布データを取得する。例えば、図５は、参照ミラー、フォーカシングレンズ、ポラライザがある所定の位置に配置されている場合のモニタ７５の画面上に表示された画像を示す図である。
【００７３】
制御部７０は、初めに、深さ方向（Ａスキャン方向）に走査する複数の走査線を設定し、各走査線上における輝度分布データを求める。図５においては、画像を１０分割し、１０本の分割線を走査線としている。図６は、画像の深さ方向における輝度分布の変化を示す図である。
【００７４】
ここで、制御部７０は、各走査線に対応する輝度分布から輝度値の最大値（以下、最大輝度値と省略する）を算出する。そして、制御部７０は、眼底断層像における最大輝度値として、各走査線における最大輝度値の平均値を算出する。そして、制御部７０は、眼底断層像における背景領域の平均輝度値として、各走査線における背景領域の輝度値の平均値を算出する。
【００７５】
このようにして、算出された評価値Ｂは、第１自動光路長調整、ポラライザ調整において利用される。なお、この場合、画像データＧ１内の断層画像にて、評価値Ｂを算出することが好ましい。
【００７６】
＜初期化＞
初めに、制御部７０は、初期化の制御を行う。初期化の制御は、参照ミラー３１とフォーカシングレンズ２４の位置を初期位置（移動開始位置）に移動させる。
【００７７】
そして、初期化の制御が開始されると、制御部７０は、移動限界位置Ｋ１又は移動限界位置Ｋ２のどちらかの位置を参照ミラー３１の初期位置として選択する。なお、初期位置の決定は、初期化の制御を開始する以前の参照ミラー３１の位置から移動限界位置Ｋ１又は移動限界位置Ｋ２により近い側の位置が選択される。そして、制御部７０は、移動限界位置Ｋ１又は移動限界位置Ｋ２の初期位置へ参照ミラー３１を移動させる。もちろん、異なる基準に基づいて、初期位置に設定するための移動方向の決定を行ってもよい。
【００７８】
また、制御部７０は、フォーカシングレンズ２４を初期位置（本実施形態においては、０Ｄに対応する位置）へ移動させる。
【００７９】
制御部７０は、参照ミラー３１及びフォーカシングレンズ２４を初期位置へ移動させると、第１光路長調整及びフォーカス調整を開始する。以下に、各調整の制御動作について説明する。
【００８０】
＜フォーカス調整＞
初期化の制御が完了すると、制御部７０は、フォーカス調整の制御を開始するためのトリガ信号を発し、ＯＣＴ光学系２００のフォーカス調整を開始する。本実施例において、ＯＣＴ光学系２００のフォーカス調整は、ＳＬＯ光学系３００のフォーカシングレンズ６３の合焦位置情報に基づいて行われる。
【００８１】
初めに、制御部７０は、ＳＬＯ眼底像に対するフォーカス調整を開始する。制御部７０は、受光素子６８から出力される受光信号によって取得されるＳＬＯ眼底像に基づいてＳＬＯ光学系３００の合焦位置情報を取得し、ＳＬＯ光学系３００に配置されたフォーカシングレンズ６３を合焦位置に移動させる（第１フォーカス調整）。
【００８２】
より具体的には、まず、制御部７０は、受光素子６８から出力される受光信号に基づいて取得されるＳＬＯ眼底像の画像データを微分処理し、微分処理した結果に基づいて微分ヒストグラム情報を取得する。すなわち、制御部７０は、ＳＬＯ光学系３００によって取得されたＳＬＯ眼底像の画像データにエッジ抽出用（例えば、ラプラシアン変換、ＳＯＢＥＬ等）のフィルタを掛けて輪郭画像に変換した後、輪郭画像のヒストグラムを作成する。
【００８３】
図７はＳＬＯ光学系３００によって取得されるＳＬＯ眼底像の画像信号を微分処理した後の微分ヒストグラムの一例を示す図である。図７において、横軸は微分の絶対値（以下、微分値と省略する）ｄ（ｄ＝１、２、・・・２５４）、縦軸は各微分値に対応する画素数Ｈ（ｄ）を、画素数がピークを示した微分値における画素数Ｈ（ｄｐ）で正規化したもの（（Ｈ（ｄ）／Ｈ（ｄｐ））を百分率（％）で表記している。なお、図７のヒストグラムにおいては、端点（ｄ＝０、ｄ＝２５５）の２点のデータを除外している。ここで、微分値ｄは、輪郭画像における輝度値を２５５階調で表したものである。
【００８４】
なお、微分ヒストグラムＨ（ｄ）において、フォーカスが適正な場合、眼底の血管部位におけるエッジが先鋭化されるため、微分値の大きい方の画素数が増加し、フォーカスがずれるに従ってエッジが鈍くなるため、微分値の大きい方の画素数が低下する。
【００８５】
ここで、制御部７０は、前述のように取得されたヒストグラム情報において画像全体で所定の割合以上の画素数を持つ輝度値（微分値）の最大値を用いてＳＬＯ眼底像の結像状態（フォーカス状態）評価値を算出する。例えば、ＳＬＯ眼底像の結像状態を評価するための結像状態評価値Ｃ１として、閾値Ｓ１（例えば、２０％）以上での微分値の最大値Ｄｍａｘと最小値Ｄｍｉｎの差を求める（Ｃ１＝Ｄｍａｘ−Ｄｍｉｎ）。なお、閾値Ｓ１は、ノイズによる影響を回避しつつ、ＳＬＯ眼底像の結像状態の変化に対して評価値Ｃ１が敏感に変化するような値に設定される。なお、本実施形態において、閾値Ｓ１を２０％程度に設定したのは、ＳＬＯ画像全体に占める範囲の少ない眼底血管部位におけるエッジの先鋭度の変化を精度良く検出するためである。また、上記において、閾値Ｓ１以上での微分値の最大値Ｄｍａｘのみを結像状態評価値Ｃ１として設定するようにしてもよい。
【００８６】
結像状態評価値Ｃ１は、フォーカシングレンズ６３が合焦位置にあるとき（ＳＬＯ眼底像のフォーカスが合っているとき）に高い値を示し、フォーカシングレンズ６３が合焦位置からずれるに従って低くなっていくため、ＳＬＯ眼底像のフォーカス状態（結像状態）の判定に用いることができる。
【００８７】
ここで、制御部７０は、ＳＬＯ光学系３００の受光光学系に配置されたフォーカシングレンズ６３の位置を移動させながら結像状態評価値Ｃ１をサンプリングし、サンプリング結果により合焦状態を判定し、フォーカシングレンズ６３を合焦位置に駆動させる。
【００８８】
例えば、制御部７０は、適正なフォーカス位置を探索するべく、駆動機構６３ａを駆動制御して、フォーカシングレンズ６３の移動可能範囲において離散的に設定された複数の移動位置にフォーカシングレンズ６３を移動させ、各移動位置でのＳＬＯ眼底像を取得する。そして、制御部７０は、移動位置毎に取得されたＳＬＯ眼底像それぞれの微分ヒストグラムを作成し、結像状態評価値Ｃ１をそれぞれ算出する。この場合、制御部７０は、フォーカシングレンズ６３を連続的に移動させていき、連続的に結像状態評価値Ｃ１を算出するようにしてもよい。
【００８９】
図８は結像状態評価値Ｃ１とフォーカシングレンズ６３の移動位置Ｚ１との関係を示すグラフの一例を示す図である。図８においては、−１２Ｄに対応する位置から順に、フォーカシングレンズ６３を２Ｄずつプラス方向に移動させ、順次評価値Ｃ１を算出していき、＋１２Ｄに対応する位置までフォーカシングレンズ６３を移動させた場合のものである。
【００９０】
前述のようにして各フォーカス位置における評価値Ｃ１が得られたら、離散的に取得されたフォーカシングレンズ６３の移動位置Ｚ１と評価値Ｃ１の特性に対して補間処理を施し、ＳＬＯ光学系３００の合焦位置を検出する。例えば、フォーカシングレンズ６３の移動範囲に極大値を持つような関数にて曲線近似し、この曲線において評価値Ｃ１が最大となる移動位置Ｚ１ｐをＳＬＯ光学系３００の合焦位置情報として取得する。なお、上記のような補間処理によってＳＬＯ光学系３００の合焦位置を検出する手法としては、関数近似、重心、平均値の算出等を用いたものが考えられる。
【００９１】
制御部７０は、駆動機構６３ａを駆動制御して、前述のように取得された合焦位置情報に対応する移動位置にフォーカシングレンズ６３を移動させることによりＳＬＯ眼底像に対するフォーカス調整を終了する。
【００９２】
次に、制御部７０は、第１フォーカス調整の制御によるＳＬＯ光学系３００の合焦位置情報に基づいてＯＣＴ光学系２００のフォーカシングレンズ２４を移動させる（第２フォーカス調整）。
【００９３】
制御部７０は、第１のオートフォーカス制御によるＳＬＯ光学系３００の合焦位置情報に基づいてＯＣＴ光学系２００のフォーカス位置情報を取得し、フォーカシングレンズ２４を合焦位置まで移動させる（ＯＣＴ画像に対するオートフォーカス）。ここで、制御部７０は、第１フォーカス調整によるフォーカシングレンズ６３の移動位置をＯＣＴ光学系２００のフォーカス位置情報として取得し、そのフォーカス位置情報に基づいて駆動機構２４ａを駆動制御してフォーカシングレンズ２４を合焦位置まで移動させる。
【００９４】
例えば、ＳＬＯ光学系３００の合焦位置が−３Ｄに対応する位置であれば、ＯＣＴ光学系２００のフォーカス位置も同様に−３Ｄに対応する位置になるように制御する。この場合、ＯＣＴ光学系２００のフォーカス位置をＳＬＯ光学系２００の合焦位置に対応するフォーカス位置に設定できるように、フォーカシングレンズ６３の移動位置とフォーカシングレンズ２４の移動位置との間でディオプター換算による対応づけがなされている。
【００９５】
このようにしてＯＣＴ光学系２００のフォーカシングレンズ２４がＳＬＯ光学系３００の合焦位置に対応する移動位置に移動されると、ファイバー端部３９ｂに入射される眼底反射光が増加する。
【００９６】
＜第１自動光路長調整（粗調整）＞
制御部７０は、合焦位置の検出動作、及び検出された合焦位置へのフォーカシングレンズ６３の移動動作と並行して、第１自動光路長調整（自動粗光路長調整）を行う。図９は、第１自動光路長調整の制御動作の流れを示すフローチャートである。
【００９７】
制御部７０は、駆動機構５０の駆動を制御して参照ミラー３１を移動させると共に、参照ミラー３１の各位置にて受光素子８３から出力される出力信号に基づいて、眼底断層像が取得される位置に参照ミラー３１を移動させる。
【００９８】
具体的には、制御部７０は、初期位置にて断層画像を取得した後、初期位置とは逆の移動限界位置に向けて参照ミラー３１を移動させる。例えば、参照ミラー３１の初期位置として限界位置Ｋ１が選択（設定）された場合、限界位置Ｋ２に向けて方向へ移動させる。
【００９９】
ここで、制御部７０は、参照ミラー３１を所定のステップ（例えば、撮影範囲として２ｍｍステップ）で移動させ、各移動位置における断層画像を順次取得していき、眼底断層像が取得される位置を探索していく。
【０１００】
この場合、制御部７０は、離散的に設定された参照ミラー３１の移動位置において、参照ミラー３１が停止される度に断層像を取得する。そして、制御部７０は、各位置にて取得される断層画像を解析する。例えば、制御部７０は、各位置にて取得される断層像の評価値Ｂを算出する。そして、制御部７０は、参照ミラー３１の位置と断層像の評価値Ｂとを対応付けてメモリ７５に記憶する。
【０１０１】
図１０は、参照ミラー３１の位置ごとにおける評価値Ｂの算出結果の一例を示す図である。横軸は、参照ミラーの位置、縦軸は、参照ミラーの各位置における評価値Ｂを表記したものである。
【０１０２】
ここで、制御部７０は、取得された参照ミラー３１の位置ごとにおける評価値Ｂの算出結果から、評価値Ｂのピークを検出する。そして、制御部７０は、ピークの検出位置に対応する参照ミラー３１の位置をメモリ７５に記憶させる。そして、制御部７０は、評価値Ｂのピークに対応する位置へ参照ミラー３１を移動させる。なお、一般的には、眼底の実像が断層画像中に現れるときの参照ミラー３１の位置が、評価値Ｂのピークが検出される位置となる。ただし、フォーカスがあっていない場合においては、虚像が断層画像中に現れるときの参照ミラー３１の位置が、評価値Ｂのピークが検出される位置となる場合もありえる。
【０１０３】
なお、本実施例において、第１自動光路長調整とフォーカス調整を並行して行っているため、第１自動光路長調整中にフォーカス調整が完了した場合、第１自動光路長に用いる断層画像のフォーカス状態が向上する。このため、第１自動光路長調整の前後で、評価値Ｂが変化し、ピークの検出位置が変化する場合がある。この場合においても、第１自動光路長調整では、モニタ７２上のいずれかの位置に眼底断層像の少なくとも一部が表示された状態となればよいため、必ずしもピーク位置が適切に検出される必要はない。すなわち、ラフに光路長調整が行わればよいため、ピーク検出精度は、必ずしも高くなくてよい。
【０１０４】
以上のようにして光路長がラフに調整されると、モニタ７２上のいずれかの位置に眼底断層像の少なくとも一部が表示された状態となる。
【０１０５】
なお、本実施形態においては、参照ミラー３１を所定のステップで移動させる場合、評価値Ｂの上昇がなくなり、下降をはじめた位置で、参照ミラー３１の駆動を停止するようにしてもよい。また、制御部７０は、参照ミラー３１の位置ごとにおける評価値Ｂの算出結果からピークに対応する参照ミラーの位置を推測するようにしてもよい。（例えば、評価値Ｂの変化を示す近似曲線を作成する）。
【０１０６】
＜第２自動光路長調整（微調整）＞
図１１は、第２自動光路長調整の制御動作の流れを示すフローチャートである。
【０１０７】
制御部７０は、フォーカシングレンズ６３が合焦位置に移動されると、第２自動光路長調整を開始する。制御部７０は、受光素子８３から出力される出力信号に基づいて、第１自動光路長調整によって調整された位置から参照ミラー３１の位置を再調整する。
【０１０８】
具体的には、フォーカス調整が完了すると、制御部７０は、フォーカス調整によって取得された断層画像に基づいて、参照ミラー３１を移動させる第２自動光路長調整を行う。
【０１０９】
ここで、制御部７０は、画像データＧ１において、フォーカス調整後に取得された眼底断層像が実像か虚像かを判定する。例えば、制御部７０は、深さ方向での輝度分布におけるピークに対する半値幅が所定の許容幅より小さいとき、眼底眼底像を実像と判定し、半値幅が所定の許容幅が大きいとき、眼底断層像を虚像と判定する。なお、断層像の実虚の判定については、実像と虚像との間の画質の差異が利用される手法であればよく、半値幅の他、例えば、断層像のコントラスト、断層像のエッジの立ち上がり度等が利用される。また、眼底断層像の形状が利用されてもよい。
【０１１０】
制御部７０は、取得される眼底断層像が虚像と判定された場合、実像が取得される方向（参照光が短くなる方向）に向けて参照ミラー３１を移動させる。例えば、制御部７０は、光路長一致位置Ｓから像検出位置までの偏位量をゼロにする参照ミラー３１の移動量を算出し、さらに算出された移動量の２倍分参照ミラー３１を移動させる。これにより、実像のみが取得された状態となる。この場合、参照ミラー３１が一定量移動されたときの偏位量を予め求めておけばよい。これにより、制御部７０は、光路長断層像の深度位置から像検出位置までの偏位量が所定の偏位量となるように参照ミラー３１を移動させることが可能となり、眼底断層像を所定の表示位置に表示できる。
【０１１１】
なお、参照ミラー３１を移動させる手段はこれに限定されるものではない。例えば、虚像と判定された場合に、予め、参照ミラー３１を実像が取得される方向（参照光が短くなる方向）に向けて移動させる所定のオフセット量を設定しておく。そして、制御部７０は、眼底断層像が虚像と判定された場合、参照ミラー３１を所定のオフセット量分移動させる。
【０１１２】
また、取得される眼底断層像が実像と判定された場合、制御部７０は、実像の位置を判定する。例えば、制御部７０は、深さ方向における輝度分布のピークが検出された位置を像位置とみなし、予め設定された光路長調整位置と像位置との変位量を算出し、その変位量がなくなるように参照ミラー３１を移動させる（特開２０１０−１２１１１号公報参照）。
【０１１３】
制御部７０は、上記のように画像データＧ１の断層像に対する実虚の判定を行うと共に、さらに、画像データＧ１において実像と虚像が並存するか否かを並行して判定するのが好ましい。例えば、制御部７０は、前述のように算出される各走査線における最大輝度値の検出位置の平均位置を眼底断層像の像位置Ｐ１として検出する。そして、制御部７０は、測定光と参照光の光路長が一致する深度位置Ｓ（第１の画像データの上端位置）から像検出位置Ｐ１までの偏位量を算出する。すなわち、制御部７０は、測定光と参照光の光路長が一致する深度位置Ｓを基準に眼底断層像の像位置を検出する。
【０１１４】
そして、制御部７０は、前述のように算出される眼底断層像の像位置Ｐ１が断層画像の上端付近（例えば、断層画像の上端から１／４に相当する領域）にある場合、眼底断層像の実像と虚像が並存している状態であると判定する。この場合、制御部７０は、実像のみが取得される方向（参照光が短くなる方向）に向けて参照ミラー３１を所定量移動させる。この場合、実像と虚像が並存している状態から実像のみが取得された状態となるまでの参照ミラー３１の移動方向及び移動量を実験もしくはシミュレーションにより予め求めておき、メモリ７２に記憶しておけばよい。
【０１１５】
＜第１自動光路長調整とフォーカス調整のタイミング＞
ここで、第２自動光路長調整の制御を開始する際に、第１自動光路長調整とフォーカス調整の完了のタイミングが異なる場合がある。例えば、第１自動光路長調整がフォーカス調整よりも早く完了する場合、第１自動光路長調整がフォーカス調整よりも遅く完了する場合、第１自動光路長調整とフォーカス調整が同時に完了する場合がある。
【０１１６】
第１自動光路長調整がフォーカス調整よりも早く完了する場合において、第１自動光路長調整後に、フォーカス調整をしている間に、眼が動いてしまう等の原因によって、断層画像が表示されなくなる場合がある。この状態で、第２自動光路長調整を開始すると、第２自動光路長調整が失敗してしまう。
【０１１７】
また、第１自動光路長調整がフォーカス調整よりも遅く完了する場合において、第１自動光路長調整が完了する前に、フォーカス調整が完了してしまい、第２自動光路長調整を開始してしまう可能性がある。この場合、モニタ７２上のいずれかの位置に眼底断層像の少なくとも一部が表示される前に、第２自動光路長調整を開始してしまうため、第２自動光路長調整が失敗してしまう。
【０１１８】
このため、制御部７０は、第１自動光路長調整完了のタイミングとフォーカス調整完了のタイミングを検出し、第１自動光路長調整とフォーカス調整が同時に完了する場合を除いて、以下のような制御を行う。
【０１１９】
図１２は、第１自動光路長調整とフォーカス調整が同時に完了しなかった場合における第２自動光路長調整の制御動作の流れを示すフローチャートである。
【０１２０】
フォーカス調整が完了すると、制御部７０は、第１自動光路長調整の適否を判定する。判定は、例えば、所定の閾値を設定しておき、検出値（例えば、評価値Ｂや輝度値等）が閾値を越えたか否かによって判定する。
【０１２１】
制御部７０は、調整が成功したと判定した場合、フォーカス調整後に取得された眼底断層像が実像か虚像かを判定する。制御部７０は、上記記載と同様にして、取得される眼底断層像が虚像と判定された場合、実像が取得される方向（参照光が短くなる方向）に向けて参照ミラー３１を移動させる。取得される眼底断層像が実像と判定された場合、制御部７０は、実像の位置を判定する。例えば、制御部７０は、深さ方向における輝度分布のピークが検出された位置を像位置とみなし、予め設定された光路長調整位置と像位置との変位量を算出し、その変位量がなくなるように参照ミラー３１を移動させる。
【０１２２】
また、制御部７０は、調整が失敗したと判定した場合、第１自動光路長調整の制御を再度行う。このとき、第１自動光路長調整が失敗するたびに最適化の制御を停止させてもよいし、数回第１自動光路長調整の制御が失敗した場合に、最適化の制御を停止させてもよい。また、第１自動光路長調整を再度行う際の参照ミラー３１の初期位置（光路長調整用光学部材）は、移動限界位置Ｋ１又は移動限界位置Ｋ２に移動させてもよいし、先の第１自動光路長調整で行われた際の評価値Ｂの結果に基づいて設定してもよい。さらに、初期位置より参照ミラー３１を移動させる際の移動方向においても、先の第１自動光路長調整で行われた際の評価値Ｂの結果に基づいて行われてもよい。
【０１２３】
また、制御部７０は、第１自動光路長調整完了時の参照ミラー３１（光路長調整用光学部材）の位置から眼底断層像を探索するようにしてもよい。これにより、参照ミラー３１が移動限界位置Ｋ１又は移動限界位置Ｋ２までに移動される時間が短縮される。例えば、制御部７０は、完了時の位置が移動限界位置Ｋ１又は移動限界位置Ｋ２のどちらに近いかを判定し、近いと判定された限界位置に向けて参照ミラー３１を移動させていき、各位置にて取得された断層画像に基づいて眼底断層像が取得される位置を探索する。なお、眼底断層像がなければ、他方の移動限界位置に向けて参照ミラー３１を移動させていき、眼底断層像が取得される位置を探索する。
【０１２４】
また、最適化が失敗した際には、最適化が失敗した表示をモニタ７５上に表示する等して、検者に再最適化を行うか否かを選択させる構成としてもよい。
【０１２５】
制御部７０は、第１自動光路長調整を再度調整した後、第１自動光路長調整の調整が成功したと判定すると、取得された眼底断層像が実像か虚像かを判定する。その後、実像か虚像かの判定結果に応じて、上記と同様の制御を行う。
【０１２６】
なお、制御部７０は、第１自動光路長調整の適否を判定し、調整が失敗したと判定した場合、第１自動光路長調整とともにフォーカス調整を再度行うようにしてもよい。
【０１２７】
なお、フォーカス調整後に取得された眼底断層像が実像か虚像の判定及び眼底断層像の有無の判定は、どちらを先に行ってもよいし、同時に行うようにしてもよい。もちろん、一方の判定結果より、再度調整を行うような構成としてもよい。
【０１２８】
以上のように、第１自動光路長調整とフォーカス調整を並行して行った後、第２自動光路長調整を行うという手順で最適化の制御を動作させる。このとき、ＳＬＯ光学系３００を用いて、フォーカス調整を行い、ＯＣＴ光学系２００を用いて第１自動光路長調整を行っているため、フォーカス調整と第１自動光路長調整を並行して行うことができる。
【０１２９】
また、フォーカス調整前の光路長調整では、画像から検出される輝度が弱いために、実像・虚像の判定は行うことが困難であるが、フォーカスが調整されていない状態でも、眼底断層画像より眼底断層像が取得される位置を検出することができる。すなわち、フォーカス調整が完了していない状態では、第２光路長調整は困難であるが、第１光路長調整は、行うことができる。これによって、フォーカス調整がするまで、第１光路長自動調整の開始を待つ必要がなくなり、短時間でスムーズに最適化の制御を行うことができる。すなわち、撮影条件を好適に調整することができる。
【０１３０】
＜ポラライザ調整＞
制御部７０は、第２自動光路長調整後に受光素子８３から出力される出力信号に基づき、ポラライザ３３を駆動させ、偏光状態の調整を行う。
【０１３１】
具体的には、制御部７０は、ポラライザ３３の位置を初期位置より、移動開始位置に移動させる。なお、ポラライザ３３の初期位置は、第１移動限界位置から第２移動限界位置までの間の途中の位置に配置されている。なお、ポラライザ調整の際の、ポラライザ３３の移動開始位置は、第１移動限界位置又は第２移動限界位置の位置となる。
【０１３２】
制御部７０は、ポラライザ３３を途中位置から第１移動限界位置又は第２移動限界位置のどちらかの移動開始位置を選択し、移動させる。例えば、制御部７０は、第１移動限界位置を移動開始位置として選択し、ポラライザ３３を移動させる。そして、制御部７０は、ポラライザ３３を第１移動限界位置から第２移動限界位置方向へ移動させる。なお、移動開始位置が第２移動限界位置の場合には、第１移動限界位置方向へ移動させる。そして、各移動位置におけるモニタ７５の画面上の画像を順次取得していき、干渉光が強く受光できる位置（測定光と参照光の偏光状態が合う位置）を探索していく。
【０１３３】
偏光状態が合う位置の探索は、離散的に設定されたポラライザ３３の移動位置でポラライザ３３が停止される度に、その配置位置にて取得される画像を解析し、評価値Ｂの算出を行う。
【０１３４】
制御部７０は、移動開始位置とは、逆の移動限界位置まで、５°ずつポラライザ３３を移動させていく。なお、本実施形態では、５°ずつポラライザ３３を移動させる構成としたが、これに限定されない。例えば、１０°でもよいし、２０°でもよく、任意に設定できる構成でもよい。
【０１３５】
ここで、制御部７０は、取得されたポラライザ３３の位置ごとにおける評価値Ｂの算出結果から、ピークとなる評価値Ｂ（ピーク値）を検出し、ピーク値が検出された位置に対応する位置へポラライザ３３を移動させる。以上のようにして、ポラライザ調整が完了される。
【０１３６】
以上のようにして、最適化の制御が完了されることにより、検者が所望する眼底部位が高感度・高解像度で観察できるようになる。
【０１３７】
＜変容例＞
なお、本実施例においては、被検眼眼底の正面画像を取得するための観察光学系としてＳＬＯ光学系３００を用い、ＳＬＯ光学系３００によって取得される正面画像に基づいてＯＣＴ光学系２００の合焦位置を調整するものとしたが、これに限定されない。観察光学系としては、被検眼に赤外光を照射し、被検眼からの反射光を受光する受光素子を有し、受光素子からの受光信号に基づいて被検眼の正面画像を得るものが挙げられる。例えば、眼底カメラが挙げられる。この場合、眼底カメラによって撮像された赤外眼底像に基づいて眼底カメラ光学系の合焦位置情報を取得する（例えば、前述のＳＬＯ眼底像に基づく合焦位置検出手法の適用が考えられる）。
【０１３８】
なお、合焦位置情報の取得方法は、上記手法に限定されない。眼底反射光を受光する受光素子から出力される受光信号に基づいて合焦位置情報が取得されるものであればよい。例えば、被検眼眼底にフォーカス用の指標（例えば、スプリット指標）を投影する投影光学系を設け、その眼底反射光による指標像（眼底反射像）を受光素子により受光し、受光素子から出力される受光信号に基づいて合焦位置情報を取得するようにしてもよい。
【０１３９】
なお、本実施例において、ＯＣＴ光学系２００からの眼底反射光を用いて、フォーカス調整を行う構成としてもよい。例えば、ＯＣＴ光学系２００における測定光の眼底反射光の信号を一部抽出し、抽出結果を検出する検出器を設ける。そして、検出器より検出された信号強度より、フォーカス調整を行う。例えば、フォーカス調整は、検出器から検出される信号強度がピークとなるようにフォーカス調整を行う。
【０１４０】
なお、本実施例において、第１自動光路長調整では、評価値Ｂに基づいて、光路長調整を行う構成としたがこれに限定されない。例えば、第２自動光路長調整のように実像と虚像の判定を行い、光路長調整を行ってもよい。この場合、第１自動光路長調整とフォーカス調整が並行して行われているため、フォーカス調整が行われていくため、実像及び虚像の判定ができるようになる。なお、第１自動光路長調整では、フォーカス調整が完了していないため、光路長の微調整を行うことができない。すなわち、フォーカス調整後、第２自動光路長調整にて、眼底断層像の像位置を検出し、実像のみが取得される方向に向けて参照ミラー３１を所定量移動させ、光路長の微調整を行う。
【０１４１】
また、第２自動光路長調整では、実虚判定に基づいて、光路長調整を行う構成としたがこれに限定されない。例えば、第１自動光路長調整のように評価値Ｂに基づいて、光路長調整を行ってもよい。この場合、第１自動光路長調整では、参照ミラーを移動する際の所定ステップを長く（例えば、５ｍｍ）とり、第２自動光路長調整では、参照ミラーを移動する際の所定ステップを短く（例えば、２ｍｍ）とるようにしてもよい。これによって、第１自動光路長調整では、短時間で調整を行い、第２自動光路長調整では、精度よく調整を行うことができる。もちろん、所定ステップの間隔を任意に変更可能な構成としてもよい。
【０１４２】
なお、本実施例において、ＳＬＯ光学系３００を用いて、フォーカス調整を完了させる構成としたがこれに限定されない。制御部７０は、第１フォーカス調整の制御によるＳＬＯ光学系３００の合焦位置情報に基づいてＯＣＴ光学系２００のフォーカシングレンズ２４を移動させる。その後、さらに、ＯＣＴ光学系２００によって取得される断層画像に基づいてＯＣＴ光学系２００の合焦位置情報を取得し、フォーカシングレンズ２４を合焦位置に移動させるようにしてもよい。これによって、フォーカス調整がより精度よく行える。
【０１４３】
なお、以上の説明においては、最適化制御動作の際に、一部の最適化制御（第１光路長調整の適否の判定）を除いて、前の調整が完了後に次の調整に移行する構成としたがこれに限定されない。例えば、制御部７０により、断層画像の輝度情報に基づいて、最適化の調整が成功したか否かを判定し、判定結果に基づいて最適化の調整を停止させるようにしてもよい。制御部７０は、調整が失敗したと判定した場合、再び最適化の制御をやり直しさせる。このとき、最適化制御が失敗するたびに最適化の制御を停止させてもよいし、数回最適化制御が失敗した場合に、最適化の制御を停止させてもよい。また、最適化が失敗した際には、最適化が失敗した表示をモニタ７５上に表示する等して、検者に再最適化を行うか否かを選択させる構成としてもよい。
【０１４４】
なお、制御部７０が失敗したと判定した場合、最適化の制御のやり直しを行わせる前に、例えば、偏光状態が変化するような所定角度（例えば、９０°）だけポラライザ３３を回転駆動させるようにしてもよい。これによって、眼底断層像の受光される状態が変化し、再最適化が行われた場合に、最適化の制御が可能となる場合がある。
【０１４５】
なお、以上の説明においては、最適化の制御動作として、光路長調整、フォーカス調整、ポラライザ調整を行ったがこれに限定されない。例えば、ポラライザ調整を除いてもよい。この場合、最適化にかかる時間が少なくなるが、眼底断層像の感度及び解像度は、低くなる。
【０１４６】
なお、以上の説明においては、最適化の制御動作として、第１自動光路長調整、フォーカス調整、第２自動光路長調整、ポラライザ調整の順で行われるようにしたがこれに限定されない。例えば、第１自動光路長調整及びフォーカス調整完了後から第２自動光路長調整の間に、ポラライザ調整を行ってもよい。
【０１４７】
なお、本実施例において、第２光路長調整の前後でフォーカス調整を行ってもよい。この場合、制御部７０は、第１フォーカス調整は、第２光路長調整による光路長の微調整が可能な程度に粗く調整を行い、第２光路長調整による光路長の微調整完了後、第２フォーカス調整にて、フォーカスを一致させるようにしてもよい。
【０１４８】
なお、本実施例においては、フォーカス調整が完了するとともに、第２自動光路長調整が開始される構成としたがこれに限定されない。例えば、フォーカス調整及び第１自動光路長調整が完了するとともに、第２自動光路長調整が行われる構成としてもよい。
【０１４９】
なお、以上の説明においては、断層画像における輝度分布を利用して眼底断層像の実像／虚像の判定を行うものとしたが、眼底断層像の実像が取得されたときの断層画像の断面形状と眼底断層像の虚像が取得されたときの断層画像における断面形状とを比較し、その比較結果を考慮して実像／虚像の判定が可能な判定条件を設定するようにしてもよい。例えば、実像と虚像が深さ方向に対称な画像であることを利用する。より具体的には、眼底断層像の第１の画像データＧ１から網膜色素上皮部分を画像処理（例えば、網膜色素上皮の輝度値に対応するような所定の閾値を超える輝度値のデータを抽出する）により抽出し、抽出された網膜色素上皮部分の曲線形状に基づいて実像／虚像を判定するようにしてもよい。なお、光学部材を用いて分散補正を行う構成のものに対しても適用可能である。もちろん、光学的な分散補正とソフトウェアによる分散補正を組み合わせたものに対しても適用可能である。
【０１５０】
なお、以上の説明においては、フーリエ変換後の深さプロファイルに基づいて各撮像条件が調整されたが、これに限定されない。すなわち、検出器から出力される出力信号に基づいて各撮像条件が調整さればよい。例えば、フーリエ変換前のスペクトルデータが用いられてもよい。
【０１５１】
なお、上記説明において、スペクトルメータを用いたスペクトルドメインＯＣＴを例にとって説明したが、これに限定されない。例えば、波長可変光源を備えるＳＳ−ＯＣＴ（Swept source OCT）であってもよい。
【図面の簡単な説明】
【０１５２】
【図１】本実施例の眼科撮影装置の光学系及び制御系を示す図である。
【図２】ＯＣＴ光学系によって取得される断層画像の一例を示す図である。
【図３】本装置における動作の流れを示すフローチャートである。
【図４】本実施例に係る最適化制御について説明する図である。
【図５】断層画像の輝度分布データを求めるために断層画像上を走査される走査線について説明する図である。
【図６】画像の深さ方向における輝度分布の変化を示す図である。
【図７】ＳＬＯ光学系によって取得されるＳＬＯ眼底像の画像信号を微分処理した後の微分ヒストグラムの一例を示す図である。
【図８】結像状態評価値とフォーカシングレンズの移動位置との関係を示すグラフの一例を示す図である。
【図９】第１自動光路長調整の制御動作の流れを示すフローチャートである。
【図１０】参照ミラー３１の位置ごとにおける評価値Ｂの算出結果の一例を示す図である。
【図１１】第２自動光路長調整の制御動作の流れを示すフローチャートである。
【図１２】第１自動光路長調整とフォーカス調整が同時に完了しなかった場合における第２自動光路長調整の制御動作の流れを示すフローチャートである。
【符号の説明】
【０１５３】
２３  走査部
２４  フォーカシングレンズ
２４ａ  駆動機構
３１  参照ミラー
３３  ポラライザ
３４  駆動機構
５０  駆動機構
６３  フォーカシングレンズ
６３ａ  駆動機構
６８  受光素子
７０  制御部
７２  メモリ
７５  表示モニタ
８３  検出器
２００  干渉光学系
３００  観察光学系
【図１】
0006007527.tif 000002
【図２】
0006007527.tif 000003
【図３】
0006007527.tif 000004
【図４】
0006007527.tif 000005
【図５】
0006007527.tif 000006
【図６】
0006007527.tif 000007
【図７】
0006007527.tif 000008
【図８】
0006007527.tif 000009
【図９】
0006007527.tif 000010
【図１０】
0006007527.tif 000011
【図１１】
0006007527.tif 000012
【図１２】
0006007527.tif 000013